(57)【要約】【課題】クロノグラフなどの２つの時間積算計を同時に確実に零位置に戻す。【解決手段】２つの積算計を同時に帰零するためのこの装置は、各積算計の枢軸がそれぞれのハート形帰零カム（７、８）に固定的に連結され、２つのハンマー（６ｃ、６ｄ）を有する帰零レバー（２）と、２つのハンマー（６ｃ、６ｄ）を帰零カム（７、８）に押し当てるための回転力をこのレバー（２）に加える手段（５）と、このレバー（２）に対してこれらのハンマーの角度を調節する関節手段（２ｄ、２ｅ、６ａ、６ｂ）とを備える。これらの関節手段は２つのピン（２ｄ、２ｅ）を備え、一方のピン（２ｄ）は幅が狭い案内用スロット（６ａ）に係合する。ピン（２ｄ）の軸から案内用スロット（６ａ）に落ちる垂線が、帰零カム（７、８）に伝達される回転力の配分が改良される位置で、帰零カム（７、８）の軸（７ａ、８ａ）を相互に結ぶ直線に交差するように、案内用スロット（６ａ）の向きが定められている。【選択図】図３
2007024899.tif 000002
【特許請求の範囲】
【請求項１】
各積算計の枢軸がハート形帰零カム（７、８）のそれぞれに固定的に連結されている２つの時間積算計、特にクロノグラフの２つの時間積算計を同時帰零するための帰零装置であって、２つのハンマー（６ｃ、６ｄ）を有する帰零レバー（２）と、２つのハンマー（６ｃ、６ｄ）をそれぞれの帰零カム（７、８）に押し当てるための回転力をこのレバー（２）に選択的に加える手段（５）と、前記帰零レバー（２）に対してこれらのハンマーの角度を調節する関節手段（２ｄ、２ｅ、６ａ、６ｂ）とを備え、前記回転力によって発生した力が基本的に第１の帰零カム（７）に導かれ、前記関節手段が２つのピン（２ｄ、２ｅ）を備え、前記２つのピンのうちの第１のピン（２ｄ）が変位幅を限定する案内用スロット（６ａ）に係合し、前記案内用スロット（６ａ）が、帰零位置において、前記第１のピン（２ｄ）の軸からこの案内用スロット（６ａ）に垂直に落ちる力（Ｆ１）と、前記帰零カム（７、８）の軸（７ａ、８ａ）を相互に結ぶ直線とが交差する位置を、前記回転力によってこの第１のピン（２ｄ）にかかる力の方向とこの同じ直線とが交差する位置より、前記２つのカム（７、８）のうちの第２のカム（８）に近づける向きを有し、前記第２のピン（２ｅ）が開口部（６ｂ）に係合し、前記第２のピン（２ｅ）と前記開口部（６ｂ）との間の遊びによって、前記第１のピン（２ｄ）の軸を中心とした前記ハンマー（６ｃ、６ｄ）の限定された回転を可能にすることによって、前記ハンマー（６ｃ、６ｄ）と前記帰零カム（７、８）の２つの肩部とのそれぞれの同時接触を保証する帰零装置。
【発明の詳細な説明】
【技術分野】
【０００１】
本発明は、２つの時間積算計の同時帰零（ｔｈｅ  ｓｉｍｕｌｔａｎｅｏｕｓ  ｚｅｒｏ−ｒｅｓｅｔｔｉｎｇ）装置に関し、特に、各時間積算計の枢軸がそれぞれのハート形帰零カムに固定的に連結され、２つのハンマーを有する帰零レバーと、これら２つのハンマーをそれぞれの帰零カムに押し当てるための回転力を帰零レバーに選択的に加える手段と、帰零レバーに対するこれらのハンマーの角度を調節する関節手段とを備える、クロノグラフの２つの時間積算計の同時帰零装置に関する。
【背景技術】
【０００２】
積算計、特にクロノグラフの積算計、の帰零を行うために、ハート形帰零カムが積算計の軸に取り付けられており、カムの左右対称の肩部に当たるハンマーの打面の向きによって積算計の零に対応する角度位置が画定される。このカムが積算計の零に対応する角度位置から移動していたときにハンマーが横方向からこのカムにぶつかると、ハンマーの力が回転力に変換されるので、ハンマーの打面がハート形カムの２つの肩部に当たってカムを停止させるまで、カムは回転する。左右対称のハート形の場合、このカムの回転角度が１８０°未満であった場合は、ハンマーはカムをその回転方向と逆方向に半回転させる。カムの回転角度が１８０°を超えていた場合は、ハンマーはカムをその回転方向に回転させて零位置に戻す。
【０００３】
２つの積算計の同時帰零を行うには、ダブルハンマー付きレバーが用いられる。寸法公差が異なることを考慮すると、現実にはこのような装置は、帰零位置において、これらのハンマーの２つの打面を２つのハート形カムの２つの肩部に同時に当てることはできない。実際に４つの肩部のうちの３つの肩部でしか支持が得られないと、２つのハンマーのうちの一方のハンマーの零位置が正確に画定されない。
【０００４】
この問題を解決するために、さまざまな解決策が存在する。２つの肩部に当たるハンマーの打面を再加工することによって、もう一方のハンマーの打面が２つの肩部に当たるようにすることもできる。これは、極めて巧妙な調整作業を必要とする。
【０００５】
寸法公差を吸収するために２つのハンマーのうちの一方のハンマーを調整可能にするか、または弾力性を持たせるという提案もされている。可動部品の調整は、その位置を固定する手段を伴う。腕時計型クロノグラフに関する場合、各部品の寸法を考慮すると、調整後の位置を固定しようとしても、実施した調整が元に戻る可能性が大きい。摩擦によって連結されている可動部品に関する場合は、調整が元に戻るおそれが高い。
【０００６】
特許文献１には、２つのハンマーを１つの枢軸によってキャリアレバーに連結することが提案されている。この場合、ハンマーの枢軸の位置は、２つの帰零カムの枢軸を相互に結ぶ直線の中間位置にできるだけ近づける必要がある。また、２つの帰零カムを回転させるために十分な回転力が各帰零カムに伝達されるように、キャリアレバーの回転軸の位置は、ハンマーの枢軸に加わる力の方向が、２つの帰零カムの軸を相互に結ぶ直線に対してできるだけ直角に近い角度になる位置にする必要がある。
【０００７】
クロノグラフ機構は多数の部品を備え、また所要スペースの問題があることから、キャリアレバー上のハンマーの枢軸と、キャリアレバーの回転軸とを上記位置に配設できるとは限らない。
【０００８】
特許文献２には、３つの帰零ハンマーを有する摺動体を備えた機構がさらに提案されている。これらのハンマーは、摺動体に固定的に連結されている駆動ピンに係合する帰零レバーのフォーク状端部によって駆動される。この機構においては、３つの帰零カムの軸が９０°の角度で配設され、これらのカムの１つの軸がこの角度の頂点に位置する。これらのハンマーの摺動体の摺動角はこの角度の二等分線上に位置することが好ましいので、帰零時に３つのハンマーにかかる力の配分は、帰零レバーから摺動体の駆動ピンに加わる力がこの角度の頂点に位置するカムの軸に向かう方向と、この角度の片側に向かう方向との間の角度に応じて決まる。したがって、この文献においては、帰零レバーから伝達される力はこの角度の頂点に位置する摺動体の中心を通るので、この力の分配を可能にするものは、これらの帰零カムの配置および相対的な向きであると思われる。
【０００９】
【特許文献１】スイス国特許第５７１７４１号明細書
【特許文献２】欧州特許第１４６２８８４号明細書
【発明の開示】
【発明が解決しようとする課題】
【００１０】
クロノグラフのように複雑な機構における所要スペースの問題を考えると、このような配置は非常に厳しく、実現が困難である。
【００１１】
本発明の目的は、上記の各解決策の不具合を、少なくとも部分的に、解消することである。
【課題を解決するための手段】
【００１２】
この目的のために、この発明の対象は、請求項１に記載されているような２つの時間積算計のための同時帰零装置である。
【発明の効果】
【００１３】
本発明による同時帰零装置によれば、帰零レバーから伝達される力が案内用スロットによって最適に分配されるので、クロノグラフなどの２つの時間積算計を同時に確実に零位置に戻すことができる。
【発明を実施するための最良の形態】
【００１４】
添付の図面は、本発明の対象を形成する装置の一実施形態を例として略示する。
【００１５】
部分的に図示されているクロノグラフ機構は、コラムホイール１による所謂、中央制御方式を使用した従来の機構のものである。しかしながら本願明細書では、本発明が基本的には新しい設計のハンマー付き帰零レバー２に関するものであり、このようなレバーを使用すれば１つの帰零レバーを用いて２つの時間積算計（たとえば分積と秒積）を同時に帰零する必要がある何れの機構においても、同じ利点が得られることを具体的に説明する。
【００１６】
コラムホイール１はラチェットホイールに固定的に連結されており、ラチェットホイールの歯１ａは、作動レバーフック４の端部に関着されている駆動爪４ａと位置決め爪３とに係合する。作動レバーフック４自体も軸４ｂ周りに関着されている。この作動レバーフックは、コラムホイール１を１ステップずつ進ませる働きをする。具体的には、作動レバーフックは、帰零機構の各部材を、図１に示されている位置から図２に示されている位置に、およびこの逆に変位させる。
【００１７】
この機構のうち、本発明が関係する部分は、ダブルハンマー付き帰零レバー２に関する。ダブルハンマー付き帰零レバー２を個別に図３に示す。この図によれば、スプリング５は、帰零レバー２に固定的に連結されているピン２ａに力Ｆを作用させることによって、帰零レバー２の枢軸２ｂを中心とした回転力を発生させている。帰零レバー２は、スプリング５の圧力下でフィンガ２ｃをコラムホイール１のコラム１ｂに係合させるように構成されている。図１および図２からわかるように、フィンガ２ｃは１ステップでコラムホイール１の歯１ａを２つ進んで２つのコラム１ｂの間に入り、次の１ステップで歯１ａを２つ進んで１つのコラム１ｂで停止するので、図１および図３に示されている帰零位置と、以下に説明する各積算計の作動位置とがそれぞれ制御される。
【００１８】
ダブルハンマー付き帰零レバー２は、２つのピン２ｄ、２ｅをさらに備えている。ピン２ｄ、２ｅは、２つのハンマー６ｃ、６ｄを有する部品６の２つの開口部６ａ、６ｂにそれぞれ係合している。すなわち、開口部６ａ、６ｂは、細長い開口部６ａと、この細長い開口部６ａひいては部品６がピン２ｄ中心に限られた角度だけ回転するのを許容する寸法を有する開口部６ｂとである。ハンマー６ｃ、６ｄは、２つのハート形カム７および８にそれぞれ係合する。ハート形カム７および８は、２つの積算計、たとえば分積算計と秒積算計、の可動表示部材（図示せず）の枢軸７ａおよび８ａにそれぞれ固定的に連結されている。
【００１９】
図４に示すように、２つのハンマー６ｃ、６ｄを有する部品６をピン６ａ中心に単純に旋回させるだけの先行技術では、ハート形カム７および８に伝達される力は当該図４に示されているような力となる。すなわち、部品６をピン６ａ中心に旋回させることで、２つのハンマー６ｃ、６ｄを２つのハート形カム７および８の２つの肩部に接触させることは保証されるが、カム８に加わる力は極めて弱い。
【００２０】
図３には、本発明が提案する解決策による、細長い開口部６ａを存在させることで変位幅を限定する案内用スロットを形成することによって得られる効果が示されている。この図からわかるように、帰零時に、ピン２ｄの軸から案内用スロット６ａに落ちる垂線の方向は、帰零レバー２からダブルハンマー付き部品６に伝達される力Ｆ１の方向に対応しているが、この方向が帰零カムの軸７ａ、８ａを相互に結ぶ直線に対してハート形カム７および８にそれぞれ作用する力Ｆ２、Ｆ３の配分が改良される位置で、交差するように、案内用スロット６ａの向きが定められている。図４に比べ、案内用スロット６ａによってこの力Ｆ１をさらにカム８の方向に導くことが可能となったことが見て取れるであろう。この結果、このカム８に伝達される力Ｆ３は、レバーの枢軸２ｂおよびピン２ｄの位置にかかわらず、図４の場合に伝達される力に比べて実質的に２倍になり、カム７に加えられる力Ｆ２が減ることもない。
【００２１】
開口部６ｂは、ハンマー６ｃおよび６ｄとハート形カム７および８とをそれぞれ確実に接触させ、この接触によってこれら２つのハート形カムが回転するように、部品６をピン２ｄ中心に限られた角度だけ旋回させるために十分な自由度を提供する。実際、両ハンマーのピン２ｄを中心とした変位量が制限されていない場合は、ハンマー６ｃおよび６ｄと各ハート形カムとの間の接触の瞬間に、ハンマーがその打面以外の場所でハート形カムに作用してハート形カムの回転を停止させることもありうる。
【００２２】
それにもかかわらず、図４の例に示すように、ハンマー６ｃ、６ｄと各ハート形カムの両肩部とが同時に接触したとしても、力が良好に伝達されてハート形カム７および８が帰零するとは限らない。この２つの問題は、それぞれ独立した問題である。提案される解決策では、各ハート形カムの両肩部へのハンマー６ｃ、６ｄの同時接触を保証しながら、力Ｆ１の向きの変更と、ひいては力Ｆ２、Ｆ３の配分の改良とを行えるという利点がある。これは、先行技術による単一の軸線を中心とした単純な旋回による上記の解決策では実現が不可能であった。その理由は、枢軸自体を２つのハート形カムの枢軸間のほぼ中間点に配置する必要があったからである。さらに、レバーの回転軸を、両帰零カムの軸を相互に結ぶ直線に対して、両ハンマーの枢軸に力が作用する位置に配置して、しかもその力の方向が、各カムを回転させるために十分な回転力を各カムに伝達するために、両帰零カムの軸を相互に結ぶ直線に対してできるだけ直角に近い角度となるようにする必要があったからである。
【図面の簡単な説明】
【００２３】
【図１】帰零位置にあるクロノグラフ積算計の帰零機構全体の平面図である。
【図２】非作動位置にある帰零機構を示す、図１と同様の図である。
【図３】力が各カムにかかっているときのレバーと２つの帰零ハンマーとのみを示す、図１の部分図である。
【図４】先行技術による解決策を本発明による例に置き換えた場合の各カムにかかる力を示す、図３と同様の図である。
【符号の説明】
【００２４】
２  帰零レバー
２ａ  ピン
２ｂ  枢軸
２ｃ  フィンガ
２ｄ  ピン
２ｅ  ピン
５  スプリング
６ａ  開口部
６ｂ  開口部
６ｃ  ハンマー
６ｄ  ハンマー
７  ハート形カム
７ａ  枢軸
８  ハート形カム
８ａ  枢軸
Ｆ、Ｆ１、Ｆ２、Ｆ３  力
【図１】
2007024899.tif 000003
【図２】
2007024899.tif 000004
【図３】
2007024899.tif 000005
【図４】
2007024899.tif 000006